(57)【要約】【課題】球出口から始動入賞部品への球落下を遊技者に適切に知らせる。【解決手段】センター飾り８の連絡通路３０に設けられた連絡球検出器３１が球導入口２７から連絡通路３０に流下する球を検出して検出信号を制御装置に出力し、検出信号の入力された制御装置がランプ風車６、サイドランプ７、賞球表示灯９、完了表示灯１０、周辺表示灯１２、上部表示灯１３、スピーカ１５を報知器として駆動し、駆動された報知器が光や音で遊技者に球出口２９から始動入賞部品３へ球の落下することを報知する。【選択図】　　　　図１
2004073703.tif 000002
【特許請求の範囲】
【請求項１】
遊技領域から球を受け取るステージと、ステージから球を引き込む球導入口と、ステージよりも下部に位置する遊技領域に設けられた始動入賞部品に向けて球を落下させる球出口と、球出口と球導入口とをつなぐ連絡通路と、球導入口から連絡通路に流下する球を検出する球検出器と、球検出器からの検出信号で球のステージから球導入口への取り込まれを報知する報知器とを備えたことを特徴とするパチンコ機。
【請求項２】
球検出器が球通過孔を有する非接触形であって、球検出器のボディ上面が球導入口周りのステージを形成したことを特徴とする請求項１記載のパチンコ機。
【発明の詳細な説明】
【０００１】
【発明の属する技術分野】
本発明はパチンコ機であって、とりわけ、ステージから下部の球出口を経由して始動入賞部品への球の落下する部分の構造に関する。
【０００２】
【従来の技術】
図６は特開２０００−５１４４８号公報で開示されたパチンコ機の遊技主体である遊技盤１の正面を示し、遊技盤１は遊技盤１の前面である意匠盤面のガイドレール２で囲まれた内側の遊技領域に始動入賞部品３、図柄表示器４、可変入賞部品５、ランプ風車６、サイドランプ７、センター飾り８、一般入賞部品（図示省略）、多数の遊技釘（図示省略）などを備え、意匠盤面のガイドレール２で囲まれた外側の遊技領域外に賞球表示灯９、完了表示灯１０を備える。遊技盤１は遊技機枠１１に格納される。遊技機枠１１は前面に周辺表示灯１２、トップランプと称される上部表示灯１３、放音孔部１４を備える。放音孔部１４に対しては遊技機枠１１の内部に設けられたスピーカ１５からの音が放出されるようにスピーカ１５が配置される。センター飾り８は遊技盤１の遊技領域に前後方向に貫通するように形成された図外の開口部に前側から挿入される透視パネル１６を有する。図柄表示器４はセンター飾り８における透視パネル１６を通して遊技盤１の前側から表示画面が遊技者で視認されるようにセンター飾り８の裏側に配置される。
【０００３】
そして、遊技者が遊技機枠１１の前面に設けられた皿装置１７に球を入れた状態において、遊技者が遊技機枠１１の前面に設けられたハンドルグリップと呼ばれるような球発射操作部品１８を操作すると、遊技機枠１１の内部に設けられた図外の球発射機構が皿装置１７から供給された球を遊技領域に向けて発射し、遊技領域に発射された球が始動入賞部品３または一般入賞部品に入賞すると、始動入賞部品３に入賞した球を検出した図外の始動入賞球検出器が始動入賞信号を遊技盤１の裏側または遊技機枠１１の裏側に設けられた制御装置に出力し、または、一般入賞部品に入賞した球を検出した図外の一般入賞球検出器が一般入賞信号を制御装置に出力する。
【０００４】
制御装置に始動入賞信号または一般入賞信号を入力すると、制御装置は始動入賞信号または一般入賞信号が制御装置の入力インターフェースにおけるどの入力ポートに入力されたかを検出することによって、制御装置が入力した信号がどの始動入賞球検出器からの始動入賞信号であるかまたはどの一般入賞球検出器からの入賞信号であるかを特定（検出）し、制御装置が始動入賞信号の検出（特定）を契機として図柄表示器４と可変入賞部品５とで遊技者に有利な遊技を実行する。よって、図柄表示器４と可変入賞部品５とが始動入賞部品３への球の入賞に伴う遊技者に有利な遊技を実行する遊技部品である。また、始動入賞部品３と可変入賞部品５とが遊技盤１の遊技領域に遊技領域から球を入賞可能に設けられる一方、図柄表示器４が遊技盤１の遊技領域に遊技盤１の前側から視認可能に設けられる。
【０００５】
一方、センター飾り８について説明すると、センター飾り８は天球取入口２１、透視パネル１６の周囲を迂回するワープ通路２２、透視パネル１６の下縁に沿うステージ２３、ワープ通路２２に形成されたステージ連絡口２４、ステージ２３の中央に形成された案内溝２５、案内溝２５と対応する位置で透視パネル１６より下方に連接した縦壁２６に形成された球導入口２７、ステージ２３の前縁から下方に連接された前壁２８に形成された球出口２９、球出口２９と球導入口２７とをつなぐようにステージ２３の下部を回り込んで形成された連絡通路３０を備える。
【０００６】
そして、天球取入口２１から取り込まれた球がワープ通路２２を流下し、ステージ連絡口２４からステージ２３に放出されると、放出された或る球はステージ２３の前側から始動入賞部品３の脇に向けて落下し、放出された別の或る球はステージ２３で案内溝２５から球導入口２７および連絡通路３０を順に経由して球出口２９から真下の始動入賞部品３に向けて落下する。球出口２９がステージ２３よりも始動入賞部品３に近いので、球出口２９から落下した方がステージ２３から落下した球よりも始動入賞部品３に入賞し易い。
【０００７】
【発明が解決しようとする課題】
しかし、前記従来例はステージ２３の案内溝２５から球導入口２７を経由して球出口２９から間近の始動入賞部品３に球を落下させる構造であるので、球出口２９から球が落下したか否かを遊技者が注視していなければ、球出口２９から始動入賞部品３への球の落下を把握しずらいという問題点があった。
【０００８】
そこで、本発明は遊技者が球出口から落下する球を注視しなくても球出口から始動入賞部品への球の落下を適切に把握することができるパチンコ機のセンター飾りを提供するものである。
【０００９】
【課題を解決するための手段】
本発明にあっては、遊技領域から球を受け取るステージと、ステージから球を後ろに引き込む球導入口と、ステージよりも下部に位置する遊技領域に設けられた始動入賞部品に向けて球を落下させる球出口と、球出口と球導入口とをつなぐ連絡通路と、球導入口から連絡通路に流下する球を検出する球検出器と、球検出器からの検出信号で球のステージから球導入口への取り込まれを報知する報知器とを備えたことによって、報知器が音や光で球のステージから球導入口への取り込まれを遊技者に報知し、遊技者が球出口から落下する球を注視しなくても球出口から始動入賞部品への球の落下を把握することができる。また、本発明にあっては、球検出器が球通過孔を有する非接触形であって、球検出器のボディ上面が球導入口周りのステージを形成すれば、センター飾りを交換せずに球検出器を交換することによって、ステージでの球の流れに変化を与えることができる。
【００１０】
【発明の実施の形態】
図１から図３は第１実施形態であって、図１はパチンコ機を正面より示し、図２はパチンコ機の電気部品構成を模式的に示し、図３はセンター飾り８の縦方向に切断した断面を示す。
【００１１】
図１を参照し、パチンコ機について説明する。遊技盤１の格納された遊技機枠１１には、ガイドレール２、始動入賞部品３、図柄表示器４、可変入賞部品５、ランプ風車６、サイドランプ７、センター飾り８、賞球表示灯９、完了表示灯１０、周辺表示灯１２、上部表示灯１３、放音孔部１４が遊技機枠１１の前側から見えるようになっている点、センター飾り８が透視パネル１６、天球取入口２１、ワープ通路２２、ステージ２３、ステージ連絡口２４、案内溝２５、縦壁２６、球導入口２７、前壁２８、球出口２９、連絡通路３０を備える点は従来例と同様である。球検出器としての連絡球検出器３１が連絡通路３０に設けられた点、連絡球検出器３１がステージ２３から球導入口２７に取り込まれた球を検出した検出信号を制御装置に出力することにより、制御装置がランプ風車６、サイドランプ７、賞球表示灯９、完了表示灯１０、周辺表示灯１２、上部表示灯１３、スピーカ１５を報知器として駆動する点が新規である。
【００１２】
図２に示すように、連絡球検出器３１は板状の合成樹脂からなるボディ３２に上下に貫通する球通過孔３３を備える一方、ボディ３２に内蔵された図外の検出素子で球通過孔３３に磁界を形成し、球Ｐが球通過孔３３を通過すると、磁界の密度が変化し、その変化を検出素子が検出信号として制御装置に配線３４で出力する非接触形である。連絡球検出器３１はセンター飾り８にセンター飾り８の後方より交換可能に取り付けられる。具体的には、連絡球検出器３１が連絡通路３０を形成する通路形成体３５に形成された収納室３６に後方から挿入されると、通路形成体３５から後方に突出した弾性支持体３７の先端フック３８が連絡球検出器３１を保持する。これによって、連絡球検出器３１がセンター飾り８に固定され、球通過孔３３と連絡通路３０とが互いに同軸状に配置される。
【００１３】
第１実施形態の動作について説明する。遊技盤１の遊技領域を流下する球Ｐがセンター飾り８のステージ２３の上で左右に移動する過程において案内溝２５から球導入口２７に取り込まれると、当該球Ｐが連絡通路３０を通過する過程で球通過孔３３を経由する。この球Ｐが球通過口を経由する毎に、連絡球検出器３１が検出信号を図３に示す制御装置４１に出力する。検出信号が入力されると、制御装置４１は検出信号が制御装置４１の入力インターフェースにおけるどの入力ポートに入力されたかを検出することによって、制御装置４１が入力した信号がどの連絡球検出器３１からの検出信号であるかを特定（検出）し、制御装置４１の報知手段４２が検出信号の検出を契機としてランプ風車６、サイドランプ７、賞球表示灯９、完了表示灯１０、周辺表示灯１２、上部表示灯１３、スピーカ１５を報知器４３として駆動する。これによって、報知器４３が光や音で球Ｐのステージ２３から球導入口２７への取り込まれ、つまり、球出口２９から始動入賞部品３に入賞し易い球の落下の発生を遊技者に報知し、遊技者が球出口２９から落下する球Ｐを注視しなくても球出口２９から始動入賞部品３への球Ｐの落下を適切に把握することができる。
【００１４】
図４および図５は第２実施形態であって、図４はセンター飾り８におけるステージ２３の一部を示し、図５はセンター飾り８の縦方向に切断した断面を示す。図４ではステージ２３に上方開放状の収納室５１を設け、収納室５１にステージ２３の裏側から連絡球検出器３１を装着したことが第１実施形態と異なる。連絡球検出器３１が収納室５１に取り付けられることによって、連絡球検出器３１における球通過孔３３周りのボディ３２の上面が球導入口２７周りのステージ２３を形成する一方、球通過孔３３が球導入口２７を兼用する。これにより、ボディ３２の上面が球を球通過孔３３の方向に導いたり始動入賞部品３の方向に案内することができ、ボディ３２の上面やボディ３２の上面に形成された誘導溝５２で球の流れに変化を与えることができる。従って、センター飾り８を交換せずに、ボディ３２の上面の形状が異なる連絡球検出器３１を交換することによって、ステージ２３での球の流れに変化を与えることができる。図５にも示すように球Ｐがステージ２３からボディ３２の上面５３を経由して球導入口２７を兼ねた球通過孔３３に下方に取り込まれて連絡通路５４を経由して球出口２９より放出されるので、連絡通路５４がステージ２３の後側に回り込まないことから、第１実施形態と比べ、ステージ２３から球出口２９までへの球Ｐの通過時間を短くすることができ、センター飾り８における前後方向の寸法を短くすることができる。
【図面の簡単な説明】
【図１】第１実施形態のパチンコ機を示す正面図。
【図２】同実施形態のパチンコ機を示すブロック図。
【図３】同実施形態のセンター飾りを示す断面図。
【図４】第２実施形態のステージの一部を示す斜視図。
【図５】同実施形態のセンター飾りを示す断面図。
【図６】従来のパチンコ機を示す正面図。
【符号の説明】
３　始動入賞部品、６　ランプ風車、７　サイドランプ、９　賞球表示灯、
１０　完了表示灯、１２　周辺表示灯、１３　上部表示灯、１５　スピーカ、
２３　ステージ、２７　球導入口、２９　球出口、３０；５４　連絡通路、
３１　連絡球検出器（球検出器）、３２　ボディ、４３　報知器、５３　上面、
Ｐ　球。
【図１】
2004073703.tif 000003
【図２】
2004073703.tif 000004
【図３】
2004073703.tif 000005
【図４】
2004073703.tif 000006
【図５】
2004073703.tif 000007
【図６】
2004073703.tif 000008